(57)【特許請求の範囲】
【請求項１】
植木を表出させて植木鉢を覆うケースであって、植木鉢とこの植木鉢からの排水を受ける水受皿とを上下に離間して収納するケース本体と、ケース本体に設けられて水受皿が出し入れされる扉部とが備えられ、ケース本体には、植木鉢を嵌合させ係止させる開口が設けられた上板と、水受皿を載置するための底板とが備えられ、上板の上方には、この上板から離間するように取り付けられ上板の開口より小さく形成された表出口を上板の開口と重なる位置に有しケース本体からの植木鉢及び植木の根本付近の露出を抑制しつつ植木のみを表出させるための開閉自在なカバー部が設けられてなる植木鉢ケース。
【発明の詳細な説明】
【０００１】
【発明の属する技術分野】
本発明は、植木鉢を覆うケースに関する技術分野に属する。
【０００２】
【従来の技術】
従来、家庭やオフィス、レストラン等で室内の雰囲気を和ませるため、植物が飾られてきた。特に近年、大型の観葉植物等を植えた植木鉢を配置し、間仕切や室内の雰囲気作りに積極的に利用する傾向にある。このような植木鉢では、植物の種類だけでなく鉢自体もデザイン性の高いものが使用され、室内の演出に利用されることが多い。
【０００３】
一方、このような鉢植えの植物は、たっぷりの水を供給し、水はけ良く維持することが生育上大切である。そのため、供給された水は、植木鉢から適度に排水されるようあらかじめ植木鉢の底には穴が設けられている。そして、この排水で周りを汚さないように、室内では植木鉢が水受皿の上に載せられることが多い。この水受皿に水が貯まったままの状態が続くと根腐れしやすくなるため、水受皿の水を頻繁に廃棄することが必要となる。しかし、水受皿の水を廃棄しようとすると植木鉢を水受皿から持ち上げる必要があり、特に大型の植木鉢になるとこの作業がきわめて労力を要するものであった。そのため植木鉢からの排水の処理を簡便化するための技術が従来提案されている。
【０００４】
例えば、実開平５−６３２４１号公報には、植木鉢が足のついた受台に載置され、水受皿が受台の下面側に着脱自在に保持される技術について開示されている。ここでは、水受皿は、植木鉢を直接載せずに受台に取り付けられているため、植木鉢を動かさずに水受皿のみを取り外すことができる。
【０００５】
【発明が解決しようとする課題】
しかしながら、この実開平５−６３２４１号公報の技術では、植木鉢の保持に課題がある。ここではキャスタを設け植木鉢の移動を簡便化しているものの、受台の上に植木鉢が載置されているだけであるため、受台と植木鉢が分離しやすい。特に大型の植木鉢の場合には、上方に葉が茂って重心が高く傾倒しやすくなっている。そのため、植木鉢の移動時や地震の発生時、人がぶつかった時等には、受台から植木鉢がずり落ちたり倒れたりすることが心配され、植木鉢を安定的に保持する点において改良の余地があった。
【０００６】
また、水受皿が受台の下に着脱自在に取り付けられているため、その大きさが制限されてしまうという課題がある。大型の植木鉢の場合には、植木鉢にたっぷり水を供給すると植木鉢から出る水も大量となる。水受皿の容量が不足すると植木鉢から出た排水を十分に貯めることができず、溢れて周りを汚したり、頻繁に水を捨てる作業が必要になったりする。水受皿の容量を大きくするために、水受皿を大きな径のものにすると、受台に着脱自在に取り付けることが困難になるとともに、受台からはみ出した外観となり全体の美観が損なわれる。また、水受皿を深いものにすると、受台の足を長くする必要があり、重心が上がって不安定となりさらに植木鉢が傾倒しやすくなってしまう。
【０００７】
さらに、このような大型の植木鉢は、前述したように積極的に室内の雰囲気作りに活用される。そのため、デザイン性に優れた外観が得られたり、室内のレイアウトの変更等に応じて容易に外観を変えたりできることも望まれていた。
【０００８】
このような課題を考慮して、本発明では、装飾に利用される植木鉢が、大型であったり重心の高いものであったりしても安定的に保持することができるとともに、植木鉢からの排水を容易に処理することができ、さらには外観にも優れた植木鉢ケースを提供することを目的とするものである。
【０００９】
【課題を解決するための手段】
上記課題を解決するために、本発明の植木鉢ケースは次のような手段を採用する。
【００１０】
すなわち、請求項１では、植木を表出させて植木鉢を覆うケースであって、植木鉢とこの植木鉢からの排水を受ける水受皿とを上下に離間して収納するケース本体と、ケース本体に設けられて水受皿が出し入れされる扉部とが備えられ、ケース本体には、植木鉢を嵌合させ係止させる開口が設けられた上板と、水受皿を載置するための底板とが備えられ、上板の上方には、この上板から離間するように取り付けられ上板の開口より小さく形成された表出口を上板の開口と重なる位置に有しケース本体からの植木鉢及び植木の根本付近の露出を抑制しつつ植木のみを表出させるための開閉自在なカバー部が設けられる。
【００１１】
この手段では、ケース本体に、植木鉢と水受皿が収納されているため、見かけ上はケース本体から植木が表に出たように見うけられる。そのため、ケース本体のデザインや外観のみが視認され、植木鉢の鉢や水受皿の外観を気遣う必要がない。また、水受皿に貯まった排水は、水受皿が植木鉢と上下に離間しているため、植木鉢を動かさなくても水受皿のみを扉部から出し入れするだけで処理される。
また、植木鉢は上板の開口に嵌合されることで、水受皿と上下に離間される。
さらに、植木鉢の植木の根元付近は汚れが多かったり、安価な鉢では見栄えが悪く外観を損なったりするため、カバー部で隠して露出を抑制することにより、全体としての美観がさらに向上される。また、カバー部とケース本体の色、形、素材の組み合わせにより、デザイン性が向上される。
【００１２】
【発明の実施の形態】
以下、本発明の植木鉢ケースの実施の形態（１）について図面に基づいて説明する。図１は実施の形態（１）の取り付けを示す斜視図、図２は実施の形態（１）の取り付け後の斜視図、図３は図２のＡ−Ａ線で切断した縦断面図である。
【００１３】
実施の形態（１）の植木鉢ケース１は、植木１１を表出させて植木鉢１０を覆うケースであって、植木鉢１０とこの植木鉢１０からの排水２１を受ける水受皿２０とを上下に離間して収納するケース本体３０と、ケース本体３０に設けられて水受皿２０が出し入れされる扉部３１とが備えられる。
【００１４】
実施の形態（１）のケース本体３０は、植木鉢１０を覆って外観を向上させるもので、その色、柄、形、素材等を自由に選択できる。実施の形態（１）では、直方体形状のケース本体３０を適用している。このケース本体３０により、植木鉢１０はその鉢１３が隠されて植木１１のみ表出するため、鉢１３は外観を全く気にせず、廉価な素材や軽量な素材を用いることができる。
【００１５】
ケース本体３０は、上板３２と底板３３と４面の側板を有し、４面の側板のうち１面が扉部３１として形成されている。図１中では、扉部３１を横に開閉するためのヒンジ部材３１１が省略されている。そして、上板３２には、開口３２１が穿孔されている。この開口３２１は、植木鉢１０の植木１１を上方に表出するためと、植木鉢１０自体をケース本体３０へ出し入れするために形成されている。図１中では開口３２１は円形に形成されている。これは、植木鉢１０の鉢１３が一般的に円形が多いためで、鉢１３の形状に合わせて円形以外の形状に形成してもよい。なお、実施の形態（１）では、植木鉢１０をケース本体３０の上方向から出し入れする形態を説明しているが、開口３２１を扉部３１側の端部まで連続させて例えばＵ字型に形成し、ケース本体３０の横方向から出し入れするように構成しても良い。
【００１６】
ケース本体３０の底板３３には、植木鉢１０から滴下した排水２１を受けて溜める水受皿２０が載置される。この水受部２０は、扉部３１を開けてケース本体３０の横方向から出し入れされる。水受皿２０は外から視認されないので、ケース本体３０に収納できる範囲であれば、できるだけ大きなものを使用でき、大型の植木鉢１０に十分給水しても、その排水を溢れさせる心配がない。またこの底板３３の下面には植木鉢ケース１全体を移動させるときのために、移動部４０としてキャスタが取り付けられている。このキャスタの少なくとも１箇所には、安全のために可動・固定用のロック機構が取り付けられていることが望ましい。
【００１７】
上板３２と底板３３との間には、矩形の支持板３４が棚状に取り付けられている。対向する側板３５、３５には、複数の高さで位置決め部材３５１が突設されている。支持板３４は位置決め部材３５１と嵌合するよう形成されており、どの高さの位置決め部材３５１を利用して支持板３４を取り付けるかにより、ケース本体３０内での支持板３４の高さを変更することができる。この支持板３４の高さは、支持板３４に載置する植木鉢１０の大きさ（高さ）により適宜決められる。植木鉢１０が大きい（高い）場合には、支持板３４は低めに取り付けられ、植木鉢１０の鉢１３が開口３２１から突出して露出し、外観を損なわないように設定される。逆に植木鉢１０が小さい（低い）場合には、支持板３４は高めに取り付けられ、植木鉢１０に植えられた植木１１がケース本体３０の内部に隠れてしまわないように設定される。
【００１８】
支持板３４には、植木鉢１０に予め設けられている排水口１２からの排水を通過させることができるよう排水口３４１が設けられている。一般的に植木鉢１０の排水口１２は底の中央に設けられているため、排水口３４１も支持板３４の中央に円形に設けているが、植木鉢１０に合わせて適宜変更可能である。この排水口３４１の大きさは、植木鉢１０が落ちない程度であることが望ましい。
【００１９】
ケース本体３０の上板３２には、カバー部５０が取り付けられている。このカバー部５０は、植木鉢ケース１の外観をさらに向上させるために設けられたものである。カバー部５０の中央には、植木１１を表に出すための表出口５１が、上板３２の開口３２１より小さく形成されている。実施の形態（１）では、円形に形成されているが、これに限定されるものではなく、その他に多角形やデザイン的な形状に形成してもよい。カバー部５０は上板３２の上方に位置するよう上板２に付設され、上板３２の開口３２１とカバー部５０の表出口５１が重なる位置にある。植木鉢１０の植木１１の根元付近は、土等が付着して汚れていることが多く、また廉価な鉢１３を使用していると、外から見えると全体の雰囲気を損なうことがある。そのため、カバー部５０を設けることで、植木鉢ケース１から植木鉢１０が露出することを抑制し、植木１１のみを表出させて、全体を美しく見せることができる。
【００２０】
このカバー部５０は、実施の形態（１）では、２枚のパネル部材５２、５２からなっており、このパネル部材５２に設けられた切り欠きどうしを付き合わせることで、表出口５１が形成される。またパネル部材５２は、いずれも上板３２にヒンジ部材５３で上方向に開閉自在に取り付けられている。カバー部５０の表出口５１は小さく形成されているため、植木鉢１０をケース本体３０の開口３２１に出し入れする際には、パネル部材５２が上方向に開かれる。なお、カバー部５０の色、柄、形、素材等をケース本体３０と合わせたり、またあえて異なるものを選んだりすることで全体としてのデザイン性を高めることができる。
【００２１】
このように構成された植木鉢ケース１の動作について説明する。まず、植木鉢１０の大きさに応じて、支持板３２をどの高さの位置決め部材３５１に取り付けるかが決められ、支持板３２がケース本体３０の内部に棚状に取り付けられる。
【００２２】
次に、２枚のパネル部材５２を上方向に開け、開口３２１から植木鉢１０を支持板３２上に載置する。そして、扉部３１を開けて横方向から水受皿２０を底板３３の上に載置する。水受皿２０は排水を溜めるに十分な容量のものを外観にとらわれずに使用できる。水受皿２０は、植木鉢１０の排水口１２から支持板３４の排水口３４１を通過して滴下する排水２１を受けるために、底板３３の中央付近に置かれる。
【００２３】
植木鉢１０及び水受皿２０のセットが完了したら、扉部３１とパネル部材５２、５２を閉じる。これにより図２に示されるように、ケース本体３０からは植木鉢１０の植木１１のみが表出し、鉢１３や水受皿２０は全く隠された状態が得られる。
【００２４】
そして、植木鉢１０への水遣りの際には、カバー部５０のパネル部材５２の一方あるいは双方を開け、植木１１の根元に給水される。給水された水は、植木鉢１０からの排水２１として水受皿２０に溜められるが、適時、扉部３１を開けて水受皿２０のみ横方向に取り出され廃棄される。
【００２５】
また、レイアウトの変更等で、植木鉢ケース１を移動させたい場合には、移動部４０のキャスタを可動状態にして、任意の位置に移動される。
【００２６】
さらに、植木鉢１０を交換したい場合には、セットしたときの逆で、パネル部材５２を開けて植木鉢１０を取り出して交換が行われる。植木鉢１０の大きさが異なる場合には、支持板３４の取り付け高さを替えるだけ適応させることできる。
【００２７】
このように実施の形態（１）では、植木鉢ケース１に植木鉢１０を収納することにより、外観上は、美しい植木１１とデザインされたケース本体３０及びカバー部５０のみが認識され、設置された空間に合わせて優れた雰囲気を提供できる。また、植木鉢ケース１は、植木鉢１０の下側を覆って完全に収納しているため、全体としての重心が下がり安定性が高められる。上方に葉が茂った植木や背が高い植木のように従来なら倒れやすい植木であっても、植木鉢ケース１が傾いたり植木鉢ケース１から植木鉢１０が脱落したりし難いため高い安全性が得られる。もちろん、背が低い植木や小型の植木に適応しても良い。
【００２８】
また、水遣りの際には、パネル部材５２を開けて作業することで、カバー部５０やケース本体３０を水で汚す心配もない。そのため、カバー部５０やケース本体３０に布製や皮製金属製の素材を使用することもできる。また、水受皿２０の排水２１の処理では、植木鉢１０を従来のように動かす必要がないため、楽に排水を廃棄できる。
【００２９】
さらに、植木鉢ケース１の移動は、移動部４０のキャスタを用いて手軽に実施できるとともに、上述したように植木鉢１０の下方がケース本体３０に完全に収納された状態であるため、移動時の脱落の心配がなく、安全に作業できる。
【００３０】
次に、本発明の植木鉢ケースの実施の形態（２）について図面に基づいて説明する。図４は実施の形態（２）の断面図である。なお、実施の形態（１）と同様の説明には同一符号を付し詳細を省略する。
【００３１】
実施の形態（２）の植木鉢ケース１は、ケース本体３０への植木鉢１０の取り付けが異なっている点を特徴としている。この実施の形態では、上板３２の開口３２１に植木鉢１０の鉢１３を嵌合させて植木１１を表出させている。植木鉢１０の鉢１３は、一般的に上端１３１側に縁部１３２が形成され、上端１３１側から下端１３３側にかけて小径となるテーパ形状になっていることが多い。そのため、多少大きさにばらつきのある植木鉢１０でも、開口３２１に係止させることができる。また、あらかじめ収納する植木鉢１０が決まっている場合や、植木鉢１０のサイズに規格がある場合には、その形状や大きさに合わせて開口３２１を形成してもよい。
【００３２】
なお、この実施の形態（２）は、実施の形態（１）と組み合わせて実施してもよい。ケース本体３０に位置決め部材３５１を備え支持板３４の位置を替えて植木鉢１０を載置させるとともに、より大きな植木鉢１０の場合には、開口３２１に嵌め込んで支持板３４を外して収納するようにすることで、幅広い範囲の植木鉢１０の大きさに１つの植木鉢ケース１で適応させることができる。その他の作用、効果は実施の形態（１）と同様である。
【００３３】
次に、本発明の植木鉢ケースの実施の形態（３）について図面に基づいて説明する。図５は実施の形態（３）の断面図である。なお、実施の形態（１）と同様の説明には同一符号を付し詳細を省略する。
【００３４】
実施の形態（３）の植木鉢ケース１も、ケース本体３０への植木鉢１０の取り付けが異なっている点を特徴としている。この実施の形態では、排水口３６１を有する台状部材３６を設けて、この台状部材３６の上に植木鉢１０を載置している。このとき水受皿２０は台状部材３６の下に配置される。台状部材３６の形状は、脚が設けられたものでも、筒状のものでもいずれでもよい。また、水受皿２０は、台状部材３６の下方に置かれるだけで、外部から視認もされないので、その形状、大きさは自由に選択できる。
【００３５】
この実施の形態（３）は、ケース本体３０の形状により、支持板３４を取り付けにくい場合等に好適である。その他の作用、効果は実施の形態（１）と同様である。また、この実施の形態（３）も実施の形態（１）と同様に実施の形態（２）と組み合わせてもよい。
【００３６】
次に、本発明の植木鉢ケースの実施の形態（４）について図面に基づいて説明する。図６は実施の形態（４）の取り付けを示す斜視図、図７は実施の形態（４）の縦断面図である。実施の形態（４）は、実施の形態（１）の応用であるため同様の説明には同一符号を付し詳細を省略する。
【００３７】
実施の形態（４）の植木鉢ケース１は、全体が略々円柱形に形成されたことを特徴としている。この実施の形態では、まずケース本体３０が円筒形状を有しており、円形の上板３２と底板３３と外周面を形成する側板３６を備え、側板３６の一部が観音開き状に開閉する扉部３７、３７として形成されている。図６中では扉部３７を開閉するヒンジ部材３１１が省略されている。
【００３８】
実施の形態（４）のカバー部５０は、中央に円形の表出口５１を備え全体としてリング形状を呈するように構成されている。ここでは、半円のリング部材５４、５４を付き合わせることで形成されている。このリング部材５４は、断面が略々コの字状で、平坦な面を上にして着脱式に植木鉢１０の鉢１３の上端１３１、あるいは上板３２に被せるように載置される。
【００３９】
また、この実施の形態では、水受皿２０に貯まった排水を植木鉢１０への給水として再利用する手段が取り付けられている。この手段としては、図７に示すように一方が水受皿２０の水に浸され、他方が植木鉢１０の排水口から鉢１３の内部に差込まれた吸上げ部材２２が取り付けられている。この吸上げ部材２２は毛細管現象を生じて、水受皿２０の水を、少しずつ鉢１３の内部に供給する。これにより、植木１１が水不足となることを解消するとともに、排水の処理を頻繁に行う必要がなくなる。
【００４０】
なお、図６、図７では、植木鉢１０を開口３２１に嵌め込んで取り付けた場合を図示しているが、実施の形態（１）のように支持板３４と位置決め部材３５１を備え、植木鉢１０の大きさにより支持板３４に植木鉢１０を載置して収納してもよい。
【００４１】
この実施の形態（４）では、植木鉢ケース１の全体を円柱形にすることでデザイン性が向上される。その他の作用、効果は実施の形態（１）と同様である。また、実施の形態（１）〜（４）を組み合わせて実施してもよい。
【００４２】
次に、本発明の植木鉢ケースの実施の形態（５）について図面に基づいて説明する。図８は実施の形態（５）の取り付けを示す斜視図である。実施の形態（５）は、実施の形態（１）の応用であるため同様の説明には同一符号を付し詳細を省略する。
【００４３】
実施の形態（５）の植木鉢ケース１は、カバー部５０の開閉機構をスライド式にしたことを特徴としている。このカバー部５０は、実施の形態（１）と同様に２枚のパネル部材５２、５２から形成されているが、これらは、上板３２の上面に平行に設置されたレール部材５５、５５に沿って摺動することで開閉するように構成されている。植木鉢１０の植木１０の根元付近に栄養剤１４等が差込まれたり、土の上に肥料が撒かれたりする場合もあるが、カバー部５０で隠すことによりこれらが露出し美観を損なうことも防止できる。
【００４４】
また、この実施の形態では、水受皿２０が載置される底板３３もスライド式に引き出されることを特徴としている。この引き出しの手段は、カバー部５０のようにレール部材が取り付けられても、リブ上の突起の上に底板３３が載置されているだけでも、その他の手段でもよい。これにより低い位置で出し入れされる水受皿２０の取り出し作業がさらに容易に行われる。なお、扉部３１を上下に分割し、その下方を底板３３の手前側（引き出す側）に取り付けて引き出し用の扉としてもよい。この場合、上方の扉部３１を開けずに底板３３のみを引き出して廃水処理ができるとともに、底板３３に取り付けられた扉部により、水受皿２０が外部から視認されることもない。
【００４５】
次に、本発明の植木鉢ケースの実施の形態（６）について図面に基づいて説明する。図９は実施の形態（６）の取り付けを示す斜視図である。実施の形態（６）は、実施の形態（１）の応用であるため同様の説明には同一符号を付し詳細を省略する。
【００４６】
実施の形態（６）の植木鉢ケース１は、ケース本体３０をデザインにあわせて自由な形状の組み合わせにより形成する例を示している。ここでは、Ｕ字型の開口３２１を設けた上板３２と、底板３３とを１枚の部材の曲げ加工により連続して形成するとともに、上板３２と底板３３との間に配置された扉部３１と側板３５とが全体で円筒を立てたような形状に形成している。断面形状が略々半円形を呈する扉部３１が、断面形状が略々半円形を呈する側板３５の内側にスライド式に出入りして開閉する機構（レール等は図示していない）を採用している。扉部３１と側板３５とで形成される円筒形状の径を、開口３２１より大きくすることで、上板３２にカバー部５０の機能を持たせている。底板３３には、排水口３６１と脚３６２を有する台状部材３６が載置され、その上には植木鉢１０が横方向から出し入れされて載せられる。また、台状部材３６の下には、水受皿２０が挿入され、植木鉢１０が台状部材３６に載った状態でも廃水処理が可能である。これらは、扉部３１を閉めることで、もちろん外部からは視認されない。
【００４７】
なお、上記構成を、上板３２と扉部３１及び側板３５との間に、上板３２の下に少し隙間を開けて平行にＵ字型の開口を設けた板材を設ける構成に変形させ、この板材と上板３２との間に、鉢１３の縁部１３２を引っ掛けるようにし、台状部材３６を省略しても良い。このとき、上板３２に設けた開口３２１を前記板材に設けた開口より小さくしておくと、上板３２がカバー部５０としての機能を発揮する。
【００４８】
上板３２と底板３３の素材は任意に選択できるが、例えば金属製の素材を用い、曲げ加工で形成するとデザイン性が高められる。また、扉部３１と側板３５も金属製の素材を選択すると、さらに統一感を増し美観を向上することができる。このように、ケース本体３０の外観や形状、素材は、植木鉢ケース１の設置される環境に合わせて自由に形成することができる。この実施の形態のその他の作用、効果は実施の形態（１）と同様である。
【００４９】
なお、上述の実施の形態（１）〜（６）を組み合わせて実施してもよい。
【００５０】
また、実施の形態（１）〜（６）では、カバー部５０の開閉の機構は、上板３３と兼用の形態を含めていくつか説明したが、カバー部５０の外観のデザイン等は図示したものに限定されず、設置環境、使用者の嗜好に応じて適宜選択できる。また、場合によっては、植木鉢ケース１からカバー部５０を省略してもよい。
【００５１】
【発明の効果】
以上、詳述してきたように、本発明の植木鉢ケースは、植木を表出させて植木鉢を覆う、言い換えれば植木鉢の下方の鉢を覆って収納するため、植木鉢全体を安定して保持することができ、設置時や移動時に植木鉢が傾倒したり脱落したりすることを抑制し、安全性が高められる。
【００５２】
また、それと同時に、水受皿を植木鉢と上下に離間して収納しているため、水受皿の排水処理の際に植木鉢を動かす必要が無く、きわめて簡単に処理ができるようになった。
【００５３】
さらに、植木鉢の鉢や水受皿が隠されているため、これらの外観を気にすることなく、設置された空間に応じてケース本体により優れた外観を提供できるようになった。
【図面の簡単な説明】
【図１】実施の形態（１）の取り付けを示す斜視図である。
【図２】実施の形態（１）の取り付け後の斜視図である。
【図３】図２のＡ−Ａ線で切断した縦断面図である。
【図４】実施の形態（２）の断面図である。
【図５】実施の形態（３）の断面図である。
【図６】実施の形態（４）の取り付けを示す斜視図である。
【図７】実施の形態（４）の縦断面図である。
【図８】実施の形態（５）の取り付けを示す斜視図である。
【図９】実施の形態（６）の取り付けを示す斜視図である。
【符号の説明】
１      植木鉢ケース
１０    植木鉢
１１    植木
１２    排水口
１３    鉢
１３１  上端
１３２  縁部
１３３  下端
１４    栄養剤
２０    水受皿
２１    排水
２２    吸上げ部材
３０    ケース本体
３１    扉部
３１１  ヒンジ部材
３２    上板
３２１  開口
３３    底板
３４    支持板
３４１  排水口
３５    側板
３５１  位置決め部材
３６    台状部材
３６１  排水口
３６２  脚
３７    扉部
４０    移動部
５０    カバー部
５１    表出口
５２    パネル部材
５３    ヒンジ部材
５４    リング部材
５５    レール部材
【図１】
0003742327.tif 000002
【図２】
0003742327.tif 000003
【図３】
0003742327.tif 000004
【図４】
0003742327.tif 000005
【図５】
0003742327.tif 000006
【図６】
0003742327.tif 000007
【図７】
0003742327.tif 000008
【図８】
0003742327.tif 000009
【図９】
0003742327.tif 000010